(57)【要約】【課題】選択された配信予定のコンテンツを配信時刻に自動で配信する。【解決手段】ＤＭＳ２は、映像配信サーバ５から配信予定のコンテンツの配信時刻を含む情報を取得してコンテンツリストを生成するリスト生成部２０２と、生成されたコンテンツリストをＤＭＰ３に配信するリスト配信部２０４と、ＤＭＰ３により配信予定のコンテンツが要求された場合に、生成されたコンテンツリストを参照して当該コンテンツの配信時刻になった際に、コンテンツ取得部２０５に当該コンテンツの取得を指示する通信制御部２００と、取得されたコンテンツをＤＭＰ３に配信するコンテンツ配信部２０６と、配信された上記配信予定のコンテンツの再生を該当するＤＭＰ３に要求するコンテンツ再生要求部２０７とを備えた。【選択図】図２
2016220103.tif 000002
【特許請求の範囲】
【請求項１】
コンテンツリスト及びコンテンツを配信する配信装置と、前記配信装置にコンテンツリストを要求し、当該コンテンツリストからユーザにより選択されたコンテンツを当該配信装置に要求して再生する再生装置とを備えた通信システムにおいて、
前記配信装置は、
外部サーバから配信予定のコンテンツの配信時刻を含む情報を取得してコンテンツリストを生成するリスト生成部と、
前記リスト生成部により生成されたコンテンツリストを前記再生装置に配信するリスト配信部と、
前記外部サーバからコンテンツの取得を行うコンテンツ取得部と、
前記再生装置により配信予定のコンテンツが要求された場合に、前記リスト生成部により生成されたコンテンツリストを参照して当該コンテンツの配信時刻になった際に、前記コンテンツ取得部に当該コンテンツの取得を指示するコンテンツ取得制御部と、
前記コンテンツ取得部により取得されたコンテンツを前記再生装置に配信するコンテンツ配信部と、
前記コンテンツ配信部により配信された前記配信予定のコンテンツの再生を前記再生装置に要求するコンテンツ再生要求部とを備えた
ことを特徴とする通信システム。
【請求項２】
コンテンツリスト及びコンテンツを配信する配信装置と、前記配信装置にコンテンツを要求して再生する再生装置と、前記配信装置にコンテンツリストを要求し、当該コンテンツリストからユーザにより選択されたコンテンツを当該再生装置に再生させる操作装置とを備えた通信システムにおいて、
前記配信装置は、
外部サーバから配信予定のコンテンツの配信時刻を含む情報を取得してコンテンツリストを生成するリスト生成部と、
前記リスト生成部により生成されたコンテンツリストを前記操作装置に配信するリスト配信部と、
前記外部サーバからコンテンツの取得を行うコンテンツ取得部と、
前記再生装置により配信予定のコンテンツが要求された場合に、前記リスト生成部により生成されたコンテンツリストを参照して当該コンテンツの配信時刻まで前記コンテンツ取得部を待機させるコンテンツ取得制御部と、
前記コンテンツ取得部により取得されたコンテンツを前記再生装置に配信するコンテンツ配信部とを備え、
前記操作装置は、
前記配信装置により配信されたコンテンツリストからユーザにより配信予定のコンテンツが選択された場合に、当該コンテンツの再生を前記再生装置に要求し、当該コンテンツリストを参照して当該コンテンツの配信時刻になった際に、当該コンテンツの再生を当該再生装置に再度要求するコンテンツ再生要求部を備えた
ことを特徴とする通信システム。
【請求項３】
コンテンツリスト及びコンテンツを配信する配信装置と、前記配信装置にコンテンツを要求して再生する再生装置と、前記配信装置にコンテンツリストを要求し、当該コンテンツリストからユーザにより選択されたコンテンツを当該再生装置に再生させる操作装置とを備えた通信システムにおいて、
前記配信装置は、
外部サーバから配信予定のコンテンツの配信時刻を含む情報を取得してコンテンツリストを生成するリスト生成部と、
前記リスト生成部により生成されたコンテンツリストを前記操作装置に配信するリスト配信部と、
前記外部サーバからコンテンツの取得を行うコンテンツ取得部と、
前記再生装置により配信予定のコンテンツが要求された場合に、前記リスト生成部により生成されたコンテンツリストを参照して当該コンテンツの配信時刻になった際に、前記コンテンツ取得部に当該コンテンツの取得を指示するコンテンツ取得制御部と、
前記コンテンツ取得部により取得されたコンテンツを前記再生装置に配信するコンテンツ配信部と、
前記コンテンツ配信部により配信された前記配信予定のコンテンツの再生を前記再生装置に要求するコンテンツ再生要求部とを備えた
ことを特徴とする通信システム。
【請求項４】
コンテンツリスト及びコンテンツを配信する配信装置において、
外部サーバから配信予定のコンテンツの配信時刻を含む情報を取得してコンテンツリストを生成するリスト生成部と、
前記リスト生成部により生成されたコンテンツリストを、前記配信装置にコンテンツリストを要求し、当該コンテンツリストからユーザにより選択されたコンテンツを当該配信装置に要求して再生する再生装置に、配信するリスト配信部と、
前記外部サーバからコンテンツの取得を行うコンテンツ取得部と、
前記再生装置により配信予定のコンテンツが要求された場合に、前記リスト生成部により生成されたコンテンツリストを参照して当該コンテンツの配信時刻になった際に、前記コンテンツ取得部に当該コンテンツの取得を指示するコンテンツ取得制御部と、
前記コンテンツ取得部により取得されたコンテンツを前記再生装置に配信するコンテンツ配信部と、
前記コンテンツ配信部により配信された前記配信予定のコンテンツの再生を前記再生装置に要求するコンテンツ再生要求部とを備えた
ことを特徴とする配信装置。
【請求項５】
コンテンツリスト及びコンテンツを配信する配信装置において、
外部サーバから配信予定のコンテンツの配信時刻を含む情報を取得してコンテンツリストを生成するリスト生成部と、
前記リスト生成部により生成されたコンテンツリストを、前記配信装置にコンテンツリストを要求し、当該コンテンツリストからユーザにより選択されたコンテンツを、前記配信装置にコンテンツを要求して再生する再生装置に再生させる操作装置に、配信するリスト配信部と、
前記外部サーバからコンテンツの取得を行うコンテンツ取得部と、
前記再生装置により配信予定のコンテンツが要求された場合に、前記リスト生成部により生成されたコンテンツリストを参照して当該コンテンツの配信時刻まで前記コンテンツ取得部を待機させるコンテンツ取得制御部と、
前記コンテンツ取得部により取得されたコンテンツを前記再生装置に配信するコンテンツ配信部とを備えた
ことを特徴とする配信装置。
【請求項６】
コンテンツリスト及びコンテンツを配信する配信装置にコンテンツリストを要求し、当該コンテンツリストからユーザにより選択されたコンテンツを、前記配信装置にコンテンツを要求して再生する再生装置に再生させる操作装置において、
前記配信装置により配信されたコンテンツリストからユーザにより配信予定のコンテンツが選択された場合に、当該コンテンツの再生を前記再生装置に要求し、当該コンテンツリストを参照して当該コンテンツの配信時刻になった際に、当該コンテンツの再生を当該再生装置に再度要求するコンテンツ再生要求部を備えた
ことを特徴とする操作装置。
【請求項７】
コンテンツリスト及びコンテンツを配信する配信装置において、
外部サーバから配信予定のコンテンツの配信時刻を含む情報を取得してコンテンツリストを生成するリスト生成部と、
前記リスト生成部により生成されたコンテンツリストを、前記配信装置にコンテンツリストを要求し、当該コンテンツリストからユーザにより選択されたコンテンツを、前記配信装置にコンテンツを要求して再生する再生装置に再生させる操作装置に、配信するリスト配信部と、
前記外部サーバからコンテンツの取得を行うコンテンツ取得部と、
前記再生装置により配信予定のコンテンツが要求された場合に、前記リスト生成部により生成されたコンテンツリストを参照して当該コンテンツの配信時刻になった際に、前記コンテンツ取得部に当該コンテンツの取得を指示するコンテンツ取得制御部と、
前記コンテンツ取得部により取得されたコンテンツを前記再生装置に配信するコンテンツ配信部と、
前記コンテンツ配信部により配信された前記配信予定のコンテンツの再生を前記再生装置に要求するコンテンツ再生要求部とを備えた
ことを特徴とする配信装置。
【発明の詳細な説明】
【技術分野】
【０００１】
この発明は、ＤＬＮＡ（Ｄｉｇｉｔａｌ  Ｌｉｖｉｎｇ  Ｎｅｔｗｏｒｋ  Ａｌｌｉａｎｃｅ）を用いた通信システムに関し、配信予定のライブコンテンツを配信時刻に自動で配信する通信システム、配信装置及び操作装置に関するものである。
【背景技術】
【０００２】
近年のデジタルＴＶ等の再生装置はネットワーク接続機能を有しており、家庭内で録画した映像コンテンツ（以下、コンテンツと称す）を、ホームネットワークを通じて自由な場所で視聴できるようになってきた。これは、ＤＮＬＡが発行したＤＬＮＡガイドラインと呼ばれる設計指針に準拠した製品であれば、異なるメーカ間の製品であってもコンテンツのネットワーク配信及び再生を行うことができるためである。
【０００３】
ＤＬＮＡネットワークは、ネットワーク経由でコンテンツを配信する機能を持つ配信装置（ＤＭＳ：Ｄｉｇｉｔａｌ  Ｍｅｄｉａ  Ｓｅｒｖｅｒ）と、ネットワーク経由で配信されたコンテンツを受信して再生できる再生装置（ＤＭＰ：Ｄｉｇｉｔａｌ  Ｍｅｄｉａ  Ｐｌａｙｅｒ）とで構成される（例えば特許文献１参照）。なお、ＤＭＳが配信するコンテンツには、ＤＭＳに保存されたコンテンツと、映像配信サーバ（外部サーバ）から配信されたライブコンテンツとが含まれる。ＤＭＳとＤＭＰは互いにホームネットワークで接続されており、ＵＰｎＰのプロトコルにしたがって相互に発見する。ユーザによりＤＭＳが選択されると、ＤＭＰは当該ＤＭＳにコンテンツリストを要求する。そして、ＤＭＰは、ＤＭＳからコンテンツリストを取得すると、ディスプレイ上に表示する。このディスプレイ上に表示されたコンテンツリストからユーザにより再生したいコンテンツが選択されると、ＤＭＰは、ＤＭＳに当該コンテンツを要求する。そして、ＤＭＳは、このコンテンツを読出し、著作権保護規定に沿った暗号化を行う。その後、ＤＭＳは、暗号化したストリーム情報をネットワークバッファに蓄積し、データが所定量まで蓄積されると、ネットワーク経由でデータの配信処理を行う。ＤＭＰは、このデータを受信し、順次復号することで映像表示を行う。
【０００４】
また上記に限らず、ＤＬＮＡ以外の方法でネットワークからコンテンツを受信し、ＤＬＮＡを用いてＤＭＰへ配信できるＩＰ−ＳＴＢ等の装置も存在する。
【先行技術文献】
【特許文献】
【０００５】
【特許文献１】特開２０１２−２１３１１１号公報
【発明の概要】
【発明が解決しようとする課題】
【０００６】
しかしながら、従来の技術では、配信装置に保存されたコンテンツ及び映像配信サーバからの現在再生可能なライブコンテンツのみが再生対象であったため、映像配信サーバからの配信予定のライブコンテンツに対する視聴予約ができないという課題があった。
【０００７】
この発明は、上記のような課題を解決するためになされたもので、選択された配信予定のコンテンツを配信時刻に自動で配信することができる通信システム、配信装置及び操作装置を提供することを目的としている。
【課題を解決するための手段】
【０００８】
この発明に係る通信システムは、コンテンツリスト及びコンテンツを配信する配信装置と、配信装置にコンテンツリストを要求し、当該コンテンツリストからユーザにより選択されたコンテンツを当該配信装置に要求して再生する再生装置とを備え、配信装置は、外部サーバから配信予定のコンテンツの配信時刻を含む情報を取得してコンテンツリストを生成するリスト生成部と、リスト生成部により生成されたコンテンツリストを再生装置に配信するリスト配信部と、外部サーバからコンテンツの取得を行うコンテンツ取得部と、再生装置により配信予定のコンテンツが要求された場合に、リスト生成部により生成されたコンテンツリストを参照して当該コンテンツの配信時刻になった際に、コンテンツ取得部に当該コンテンツの取得を指示するコンテンツ取得制御部と、コンテンツ取得部により取得されたコンテンツを再生装置に配信するコンテンツ配信部と、コンテンツ配信部により配信された配信予定のコンテンツの再生を再生装置に要求するコンテンツ再生要求部とを備えたものである。
【発明の効果】
【０００９】
この発明によれば、上記のように構成したので、選択された配信予定のコンテンツを配信時刻に自動で配信することができる。
【図面の簡単な説明】
【００１０】
【図１】この発明の実施の形態１に係るＤＬＮＡガイドラインに準拠した通信システムの構成例を示す図である。
【図２】この発明の実施の形態１に係るＤＭＳの構成例を示すブロック図である。
【図３】この発明の実施の形態１に係るＤＭＰの構成例を示すブロック図である。
【図４】この発明の実施の形態１に係る通信システムにより現在再生可能なライブコンテンツを配信する場合の通信シーケンス例を示す図である。
【図５】この発明の実施の形態１に係る通信システムにより配信予定のライブコンテンツを配信する場合の通信シーケンス例を示す図である。
【図６】この発明の実施の形態２に係るＤＬＮＡガイドラインに準拠した通信システムの構成例を示している。
【図７】この発明の実施の形態２に係るＤＭＳの構成例を示すブロック図である。
【図８】この発明の実施の形態２に係るＤＭＣの構成例を示すブロック図である。
【図９】この発明の実施の形態２に係るＤＭＲの構成例を示すブロック図である。
【図１０】この発明の実施の形態２に係る通信システムにより現在再生可能なライブコンテンツを配信する場合の通信シーケンス例を示す図である。
【図１１】この発明の実施の形態２に係る通信システムにより配信予定のライブコンテンツを配信する場合の通信シーケンス例を示す図である。
【発明を実施するための形態】
【００１１】
以下、この発明の実施の形態について図面を参照しながら詳細に説明する。
実施の形態１．
図１はこの発明の実施の形態１に係るＤＬＮＡガイドラインに準拠した通信システムの構成例を示している。
図１に示す通信システムでは、ホームネットワーク１に、ＬＡＮ（ローカルＩＰネットワーク）を介して映像コンテンツ（以下、コンテンツと称す）を配信するＤＭＳ（配信装置）２と、ＬＡＮを介して取得したコンテンツを再生するＤＭＰ（再生装置）３とが接続されている。このＤＭＳ２は、ストレージ（後述するコンテンツ保存部２０１）に保存されたコンテンツをＤＭＰ３に提供できる。また、ＤＭＳ２は、ＣＤＮ（Ｃｏｎｔｅｎｔｓ  ｄｅｌｉｖｅｒｙ  ｎｅｔｗｏｒｋ）等の外部ネットワーク４を介して映像配信サーバ（外部サーバ）５にも接続されている。そして、ＤＭＳ２は、この映像配信サーバ５から取得したライブコンテンツを、ＤＬＮＡで配信可能なフォーマットへと変換した上でＤＭＰ３に配信できる。また、ＤＭＳ２は、ＤＭＣ機能（後述するコンテンツ再生要求部２０７）を内蔵している。
【００１２】
なお図１では、簡素化のために、ＤＭＳ２及びＤＭＰ３をそれぞれ１台ずつ接続した場合を示しているが、これに限るものではなく、ＤＭＳ２及びＤＭＰ３をそれぞれ２台以上接続してもよい。
【００１３】
次に、ＤＭＳ２の構成例について、図２を参照しながら説明する。
ＤＭＳ２は、図２に示すように、通信制御部２００、コンテンツ保存部２０１、リスト生成部２０２、リスト保存部２０３、リスト配信部２０４、コンテンツ取得部２０５、コンテンツ配信部２０６及びコンテンツ再生要求部２０７を備えている。このＤＭＳ２は、メモリに記憶されたプログラムを実行するプロセッサにより実現される。
【００１４】
通信制御部２００は、ＤＭＳ２全体の動作を統括的に制御し、ホームネットワーク１及び外部ネットワーク４を介した通信動作を制御するものである。この通信制御部２００は、ＤＭＰ３により配信予定のライブコンテンツが要求されると、リスト保存部２０３に保存されたコンテンツリストを参照して当該ライブコンテンツの配信時刻になった際に、コンテンツ取得部２０５に当該ライブコンテンツの取得を指示する機能（コンテンツ取得制御部）を有している。
【００１５】
コンテンツ保存部２０１は、各種コンテンツを保存するものである。また、コンテンツ保存部２０１では、これらのコンテンツのコンテンツ情報を示すデータベースも保存している。
【００１６】
リスト生成部２０２は、コンテンツ情報のリスト（コンテンツリスト）を生成するものである。このリスト生成部２０２では、コンテンツ保存部２０１に保存されたコンテンツ情報のリストを生成する。また、リスト生成部２０２は、映像配信サーバ５から現在再生可能なライブコンテンツのコンテンツ情報を取得し、当該コンテンツ情報のリストも生成する。さらに、リスト生成部２０２は、映像配信サーバ５から配信予定のライブコンテンツのコンテンツ情報を取得し、当該コンテンツ情報のリストも生成する。なお、配信予定のライブコンテンツのコンテンツ情報には、当該ライブコンテンツの番組名及び配信時刻が含まれている。
【００１７】
リスト保存部２０３は、リスト生成部２０２により生成されたコンテンツリストを保存するものである。
【００１８】
リスト配信部２０４は、リスト保存部２０３に保存されたコンテンツリストを該当するＤＭＰ３に配信するものである。
【００１９】
コンテンツ取得部２０５は、映像配信サーバ５から該当するライブコンテンツの取得を行うものである。
【００２０】
コンテンツ配信部２０６は、コンテンツ保存部２０１に保存された該当するコンテンツ又はコンテンツ取得部２０５により取得されたライブコンテンツを該当するＤＭＰ３に配信するものである。
【００２１】
コンテンツ再生要求部２０７は、コンテンツ配信部２０６により配信された上記配信予定のライブコンテンツの再生を該当するＤＭＰ３に要求するものである。ＤＭＳ２のコンテンツ再生要求部２０７はＤＭＣ機能に該当する。
【００２２】
次に、ＤＭＰ３の構成例について、図３を参照しながら説明する。
ＤＭＰ３は、図３に示すように、通信制御部３００、リスト取得部３０１、コンテンツ取得部３０２、コンテンツ復号部３０３及びコンテンツ再生出力部３０４を備えている。このＤＭＰ３は、メモリに記憶されたプログラムを実行するプロセッサにより実現される。また、このＤＭＰ３は既存の機器を用いることができる。
【００２３】
通信制御部３００は、ＤＭＰ３全体の動作を統括的に制御し、ホームネットワーク１を介した通信動作の制御をするものである。
【００２４】
リスト取得部３０１は、コンテンツリストを該当するＤＭＳ２から取得するものである。そして、リスト取得部３０１は、取得したコンテンツリストをディスプレイ（不図示）上に表示する。ユーザは、ディスプレイ上に表示されたコンテンツリストから、再生したいコンテンツを選択することができる。
【００２５】
コンテンツ取得部３０２は、リスト取得部３０１により表示されたコンテンツリストからユーザにより選択されたコンテンツを、該当するＤＭＳ２から取得するものである。
コンテンツ復号部３０３は、コンテンツ取得部３０２により取得されたコンテンツを復号するものである。
コンテンツ再生出力部３０４は、コンテンツ復号部３０３により復号されたコンテンツを再生するものである。
【００２６】
次に、上記のように構成された通信システムの動作例について説明する。
まず、現在再生可能なライブコンテンツを配信する場合の通信シーケンス例について、図４を参照しながら説明する。
図４に示す通信シーケンス例では、まず、ＤＭＰ３のリスト取得部３０１は、ライブコンテンツのコンテンツリストを該当するＤＭＳ２に要求する（ステップＳＴ４０１）。
【００２７】
次いで、ＤＭＳ２のリスト生成部２０２は、ライブコンテンツのコンテンツ情報を映像配信サーバ５に要求し、現在再生可能なライブコンテンツのコンテンツ情報及び配信予定のライブコンテンツのコンテンツ情報を取得する（ステップＳＴ４０２，４０３）。次いで、リスト生成部２０２は、取得したコンテンツ情報からコンテンツリストを生成する（ステップＳＴ４０４）。このリスト生成部２０２により生成されたコンテンツリストはリスト保存部２０３に保存される。なお、配信予定のライブコンテンツのコンテンツリストには、番組タイトルの他に、配信時刻が含まれている。
次いで、ＤＭＳのリスト配信部２０４は、リスト保存部２０３に保存されたコンテンツリストを要求元のＤＭＰ３に配信する（ステップＳＴ４０５）。これにより、ＤＭＰ３のリスト取得部３０１は、コンテンツリストを取得することができる。
【００２８】
次いで、ＤＭＰ３のリスト取得部３０１は、ＤＭＳ２から取得したコンテンツリストをディスプレイ上に表示する（ステップＳＴ４０６）。そして、ユーザは、ディスプレイ上に表示されたコンテンツリストから、再生したいライブコンテンツを選択する。
次いで、ＤＭＰ３のコンテンツ取得部３０２は、リスト取得部３０１により表示されたコンテンツリストからユーザにより選択されたライブコンテンツを、該当するＤＭＳ２に要求する（ステップＳＴ４０７）。この際、ユーザは現在再生可能なライブコンテンツを選択したものとする。
【００２９】
次いで、ＤＭＳ２のコンテンツ取得部２０５は、ＤＭＰ３により要求されたライブコンテンツを映像配信サーバ５に要求して、当該ライブコンテンツを取得する（ステップＳＴ４０８，４０９）。
次いで、ＤＭＳ２のコンテンツ配信部２０６は、コンテンツ取得部２０５により取得されたライブコンテンツを要求元のＤＭＰ３に配信する（ステップＳＴ４１０）。これにより、ＤＭＰ３のコンテンツ取得部３０２は、ライブコンテンツを取得することができる。
【００３０】
その後、ＤＭＰ３のコンテンツ復号部３０３は、コンテンツ取得部３０２により取得されたコンテンツを復号し、コンテンツ再生出力部３０４は、コンテンツ復号部３０３により復号されたコンテンツを再生する（ステップＳＴ４１１，４１２）。この際、ＤＮＬＡはＵＰｎＰをベースとした機器間の通信手順が定められている。そして、ＤＭＳ２はＤＭＰ３へのコンテンツ配信時、ＤＭＰ３の持つ映像再生機能を呼び出し、コンテンツの再生を行わせる。そのため、ＤＭＰ３は、ＤＭＳ２からコンテンツを受信することで、ＤＮＬＡの機能（アプリ等）を立ち上げていなくても、コンテンツの再生ができる。
【００３１】
次に、配信予定のライブコンテンツを配信する場合の通信シーケンス例について、図５を参照しながら説明する。
図５に示す通信シーケンス例では、まず、ＤＭＰ３のリスト取得部３０１は、ライブコンテンツのコンテンツリストを該当するＤＭＳ２に要求する（ステップＳＴ５０１）。
【００３２】
次いで、ＤＭＳ２のリスト生成部２０２は、ライブコンテンツのコンテンツ情報を映像配信サーバ５に要求し、現在再生可能なライブコンテンツのコンテンツ情報及び配信予定のライブコンテンツのコンテンツ情報を取得する（ステップＳＴ５０２，５０３）。次いで、リスト生成部２０２は、取得したコンテンツ情報からコンテンツリストを生成する（ステップＳＴ５０４）。このリスト生成部２０２により生成されたコンテンツリストはリスト保存部２０３に保存される。なお、配信予定のライブコンテンツのコンテンツリストには、番組タイトルの他に、配信時刻が含まれている。
次いで、ＤＭＳのリスト配信部２０４は、リスト保存部２０３に保存されたコンテンツリストを要求元のＤＭＰ３に配信する（ステップＳＴ５０５）。これにより、ＤＭＰ３のリスト取得部３０１は、コンテンツリストを取得することができる。
【００３３】
次いで、ＤＭＰ３のリスト取得部３０１は、ＤＭＳ２から取得したコンテンツリストをディスプレイ上に表示する（ステップＳＴ５０６）。そして、ユーザは、ディスプレイ上に表示されたコンテンツリストから、再生したいライブコンテンツを選択する。
次いで、ＤＭＰ３のコンテンツ取得部３０２は、リスト取得部３０１により表示されたコンテンツリストからユーザにより選択されたライブコンテンツを、該当するＤＭＳ２に要求する（ステップＳＴ５０７）。この際、ユーザは配信予定のライブコンテンツを選択したものとする。
【００３４】
次いで、ＤＭＳ２の通信制御部２００は、ＤＭＳ２により配信予定のライブコンテンツが要求されると、リスト保存部２０３に保存されたコンテンツリストを参照して当該ライブコンテンツの配信時刻を確認し、当該時刻になるまでコンテンツ取得部２０５による処理を待機させる（ステップＳＴ５０８）。なお、配信予定の時刻までの間、ＤＭＳ２は、ＤＭＰ３に対して黒画面等のダミー映像を配信（図５のステップＳＴ５０９）してもよいし、視聴予約が完了した旨を記載したコンテンツを返信してもよい。
【００３５】
その後、ＤＭＳ２の通信制御部２００は、ライブコンテンツの配信時刻になると、コンテンツ取得部２０５に当該ライブコンテンツの取得を指示し、コンテンツ取得部２０５は、当該ライブコンテンツを映像配信サーバ５に要求して、当該ライブコンテンツを取得する（ステップＳＴ５１０，５１１）。
次いで、ＤＭＳ２のコンテンツ再生要求部２０７は、上記配信予定のライブコンテンツの再生を要求元のＤＭＰ３に要求し、コンテンツ配信部２０６は、コンテンツ取得部２０５により取得されたライブコンテンツを要求元のＤＭＰ３に配信する（ステップＳＴ５１２，５１３）。これにより、ＤＭＰ３のコンテンツ取得部３０２は、ライブコンテンツを取得することができる。
【００３６】
その後、ＤＭＰ３のコンテンツ復号部３０３は、コンテンツ取得部３０２により取得されたコンテンツを復号し、コンテンツ再生出力部３０４は、コンテンツ復号部３０３により復号されたコンテンツを再生する（ステップＳＴ５１４，５１５）。
【００３７】
以上のように、この実施の形態１によれば、ＤＭＳ２は、映像配信サーバ５から配信予定のコンテンツの配信時刻を含む情報を取得してコンテンツリストを生成して該当するＤＭＰ３に配信し、ＤＭＰ３により配信予定のコンテンツが要求された場合に、コンテンツリストを参照して当該コンテンツの配信時刻になった際に当該コンテンツの取得を行って配信するように構成したので、選択された配信予定のコンテンツを配信時刻に自動で配信することができる。
【００３８】
実施の形態２．
実施の形態１では、ＤＭＳ２及びＤＭＰ３を用いた場合について示した。それに対し、実施の形態２では、ＤＭＳ６、ＤＭＣ（Ｄｉｇｉｔａｌ  Ｍｅｄｉａ  Ｃｏｎｔｒｏｌｌｅｒ）７及びＤＭＲ（Ｄｉｇｉｔａｌ  Ｍｅｄｉａ  Ｒｅｎｄｅｒｅｒ）８を用いた場合について示す。
図６はこの発明の実施の形態２に係るＤＬＮＡガイドラインに準拠した通信システムの構成例を示す図である。この図６に示す実施の形態２に係る通信システムは、図１に示す実施の形態１に係る通信システムに、ＤＭＣ（操作装置）７を追加し、ＤＭＳ２及びＤＭＰ３をＤＭＳ６及びＤＭＲ（再生装置）８に変更したものである。その他の構成は同様であり、同一の符号を付してその説明を省略する。
【００３９】
図６に示す通信システムでは、ホームネットワーク１に、ＬＡＮ（ローカルＩＰネットワーク）を介して映像コンテンツ（以下、コンテンツと称す）を配信するＤＭＳ６と、ＬＡＮを介して取得したコンテンツを再生するＤＭＲ８と、ＤＭＲ８を操作するＤＭＣ７とが接続されている。このＤＭＳ６は、ストレージ（後述するコンテンツ保存部６０１）に保存されたコンテンツをＤＭＲ８に提供できる。また、ＤＭＳ６は、ＣＤＮ等の外部ネットワーク４を介して映像配信サーバ５にも接続されている。そして、ＤＭＳ６は、この映像配信サーバ５から取得したライブコンテンツを、ＤＬＮＡで配信可能なフォーマットへと変換した上でＤＭＲ８へ提供できる。
【００４０】
なお図６では、簡素化のために、ＤＭＳ６、ＤＭＣ７及びＤＭＲ８をそれぞれ１台ずつ接続した場合を示しているが、これに限るものではなく、ＤＭＳ６、ＤＭＣ７及びＤＭＲ８をそれぞれ２台以上接続してもよい。
【００４１】
次に、ＤＭＳ６の構成例について、図７を参照しながら説明する。
ＤＭＳ６は、図７に示すように、通信制御部６００、コンテンツ保存部６０１、リスト生成部６０２、リスト保存部６０３、リスト配信部６０４、コンテンツ取得部６０５及びコンテンツ配信部６０６を備えている。このＤＭＳ６は、メモリに記憶されたプログラムを実行するプロセッサにより実現される。
【００４２】
通信制御部６００は、ＤＭＳ６全体の動作を統括的に制御し、ホームネットワーク１及び外部ネットワーク４を介した通信動作を制御するものである。この通信制御部６００は、ＤＭＲ８から配信予定のライブコンテンツが要求されると、リスト保存部６０３に保存されたコンテンツリストを参照して当該ライブコンテンツの配信時刻までコンテンツ取得部６０５を待機させる機能（コンテンツ取得制御部）を有している。
【００４３】
コンテンツ保存部６０１は、各種コンテンツを保存するものである。また、コンテンツ保存部６０１では、これらのコンテンツのコンテンツ情報を示すデータベースも保存している。
【００４４】
リスト生成部６０２は、コンテンツ情報のリスト（コンテンツリスト）を生成するものである。このリスト生成部６０２では、コンテンツ保存部６０１に保存されたコンテンツ情報のリストを生成する。また、リスト生成部６０２は、映像配信サーバ５から現在再生可能なライブコンテンツのコンテンツ情報を取得し、当該コンテンツ情報のリストも生成する。さらに、リスト生成部６０２は、映像配信サーバ５から配信予定のライブコンテンツのコンテンツ情報を取得し、当該コンテンツ情報のリストも生成する。なお、配信予定のライブコンテンツのコンテンツ情報には、当該ライブコンテンツの番組名及び配信時刻が含まれている。
【００４５】
リスト保存部６０３は、リスト生成部６０２により生成されたコンテンツリストを保存するものである。
【００４６】
リスト配信部６０４は、リスト保存部６０３に保存されたコンテンツリストを該当するＤＭＣ７に配信するものである。
【００４７】
コンテンツ取得部６０５は、映像配信サーバ５から該当するライブコンテンツの取得を行うものである。
【００４８】
コンテンツ配信部６０６は、コンテンツ保存部６０１に保存された該当するコンテンツ又はコンテンツ取得部６０５により取得されたライブコンテンツを該当するＤＭＲ８に配信するものである。
【００４９】
次に、ＤＭＣ７の構成例について、図８を参照しながら説明する。
ＤＭＣ７は、図８に示すように、通信制御部７００、リスト取得部７０１及びコンテンツ再生要求部７０２を備えている。このＤＭＣ７は、メモリに記憶されたプログラムを実行するプロセッサにより実現される。
【００５０】
通信制御部７００は、ＤＭＣ７全体の動作を統括的に制御し、ホームネットワーク１を介した通信動作の制御をするものである。
【００５１】
リスト取得部７０１は、コンテンツリストを該当するＤＭＳ６から取得するものである。そして、リスト取得部７０１は、取得したコンテンツリストをディスプレイ（不図示）上に表示する。ユーザは、ディスプレイ上に表示されたコンテンツリストから、再生したいコンテンツを選択することができる。
【００５２】
コンテンツ再生要求部７０２は、リスト取得部７０１により表示されたコンテンツリストからユーザにより選択されたコンテンツの再生を、該当するＤＭＲ８に要求するものである。また、コンテンツ再生要求部７０２は、ユーザにより配信予定のコンテンツが選択された場合に、当該コンテンツの再生を該当するＤＭＲ８に要求し、当該コンテンツリストを参照して当該コンテンツの配信時刻になった際に、当該コンテンツの再生を該当するＤＭＲ８に再度要求する機能を有している。
【００５３】
次に、ＤＭＲ８の構成例について、図９を参照しながら説明する。
ＤＭＲ８は、図９に示すように、通信制御部８００、コンテンツ取得部８０１、コンテンツ復号部８０２及びコンテンツ再生出力部８０３を備えている。このＤＭＲ８は、メモリに記憶されたプログラムを実行するプロセッサにより実現される。また、このＤＭＲ８は既存の機器を用いることができる。
【００５４】
通信制御部８００は、ＤＭＲ８全体の動作を統括的に制御し、ホームネットワーク１を介した通信動作の制御をするものである。
【００５５】
コンテンツ取得部８０１は、ＤＭＣ７により再生が要求されたコンテンツを、該当するＤＭＳ６から取得するものである。
コンテンツ復号部８０２は、コンテンツ取得部８０１により取得されたコンテンツを復号するものである。
コンテンツ再生出力部８０３は、コンテンツ復号部８０２により復号されたコンテンツを再生するものである。
【００５６】
次に、上記のように構成された通信システムの動作例について説明する。
まず、現在再生可能なライブコンテンツを配信する場合の通信シーケンス例について、図１０を参照しながら説明する。
図１０に示す通信シーケンス例では、まず、ＤＭＣ７のリスト取得部７０１は、ライブコンテンツのコンテンツリストを該当するＤＭＳ６に要求する（ステップＳＴ１００１）。
【００５７】
次いで、ＤＭＳ６のリスト生成部６０２は、ライブコンテンツのコンテンツ情報を映像配信サーバ５に要求し、現在再生可能なライブコンテンツのコンテンツ情報及び配信予定のライブコンテンツのコンテンツ情報を取得する（ステップＳＴ１００２，１００３）。次いで、リスト生成部６０２は、取得したコンテンツ情報からコンテンツリストを生成する（ステップＳＴ１００４）。このリスト生成部６０２により生成されたコンテンツリストはリスト保存部６０３に保存される。なお、配信予定のライブコンテンツのコンテンツリストには、番組タイトルの他に、配信時刻が含まれている。
次いで、ＤＭＳ６のリスト配信部６０４は、リスト保存部６０３に保存されたコンテンツリストを要求元のＤＭＣ７に配信する（ステップＳＴ１００５）。これにより、ＤＭＣ７のリスト取得部７０１は、コンテンツリストを取得することができる。
【００５８】
次いで、ＤＭＣ７のリスト取得部７０１は、ＤＭＳ６から取得したコンテンツリストをディスプレイ上に表示する（ステップＳＴ１００６）。そして、ユーザは、ディスプレイ上に表示されたコンテンツリストから、再生したいライブコンテンツを選択する。
次いで、ＤＭＣ７のコンテンツ再生要求部７０２は、リスト取得部７０１により表示されたコンテンツリストからユーザにより選択されたライブコンテンツの再生を、該当するＤＭＲ８に要求する（ステップＳＴ１００７）。この際、ユーザは現在再生可能なライブコンテンツを選択したものとする。
【００５９】
次いで、ＤＭＲ８のコンテンツ取得部８０１は、上記ライブコンテンツを、該当するＤＭＳ６に要求する（ステップＳＴ１００８）。
【００６０】
次いで、ＤＭＳ６のコンテンツ取得部６０５は、ＤＭＲ８により要求されたライブコンテンツを映像配信サーバ５に要求して、当該ライブコンテンツを取得する（ステップＳＴ１００９，１０１０）。
次いで、ＤＭＳ６のコンテンツ配信部６０６は、コンテンツ取得部６０５により取得されたライブコンテンツを要求元のＤＭＲ８に配信する（ステップＳＴ１０１１）。これにより、ＤＭＲ８のコンテンツ取得部８０１は、ライブコンテンツを取得することができる。
【００６１】
その後、ＤＭＲ８のコンテンツ復号部８０２は、コンテンツ取得部８０１により取得されたコンテンツを復号し、コンテンツ再生出力部８０３は、コンテンツ復号部８０２により復号されたコンテンツを再生する（ステップＳＴ１０１２，１０１３）。この際、ＤＮＬＡはＵＰｎＰをベースとした機器間の通信手順が定められている。そして、ＤＭＳ６はＤＭＲ８へのコンテンツ配信時、ＤＭＲ８の持つ映像再生機能を呼び出し、コンテンツの再生を行わせる。そのため、ＤＭＲ８は、ＤＭＳ６からコンテンツを受信することで、ＤＮＬＡの機能（アプリ等）を立ち上げていなくても、コンテンツの再生ができる。
【００６２】
次に、配信予定のライブコンテンツを配信する場合の通信シーケンス例について、図１１を参照しながら説明する。
図１１に示す通信シーケンス例では、まず、ＤＭＣ７のリスト取得部７０１は、ライブコンテンツのコンテンツリストを該当するＤＭＳ６に要求する（ステップＳＴ１１０１）。
【００６３】
次いで、ＤＭＳ６のリスト生成部６０２は、ライブコンテンツのコンテンツ情報を映像配信サーバ５に要求し、現在再生可能なライブコンテンツのコンテンツ情報及び配信予定のライブコンテンツのコンテンツ情報を取得する（ステップＳＴ１１０２，１１０３）。次いで、リスト生成部６０２は、取得したコンテンツ情報からコンテンツリストを生成する（ステップＳＴ１１０４）。このリスト生成部６０２により生成されたコンテンツリストはリスト保存部６０３に保存される。なお、配信予定のライブコンテンツのコンテンツリストには、番組タイトルの他に、配信時刻が含まれている。
次いで、ＤＭＳ６のリスト配信部６０４は、リスト保存部６０３に保存されたコンテンツリストを要求元のＤＭＣ７に配信する（ステップＳＴ１１０５）。これにより、ＤＭＣ７のリスト取得部７０１は、コンテンツリストを取得することができる。
【００６４】
次いで、ＤＭＣ７のリスト取得部７０１は、ＤＭＳ６から取得したコンテンツリストをディスプレイ上に表示する（ステップＳＴ１１０６）。そして、ユーザは、ディスプレイ上に表示されたコンテンツリストから、再生したいライブコンテンツを選択する。
次いで、ＤＭＣ７のコンテンツ再生要求部７０２は、リスト取得部７０１により表示されたコンテンツリストからユーザにより選択されたライブコンテンツの再生を、該当するＤＭＲ８に要求する（ステップＳＴ１１０７）。この際、ユーザは配信予定のライブコンテンツを選択したものとする。
【００６５】
次いで、ＤＭＲ８のコンテンツ取得部８０１は、上記ライブコンテンツを、該当するＤＭＳ６に要求する（ステップＳＴ１１０８）。
【００６６】
次いで、ＤＭＳ６の通信制御部６００は、ＤＭＲ８により配信予定のライブコンテンツが要求されると、リスト保存部６０３に保存されたコンテンツリストを参照して当該ライブコンテンツの配信時刻を確認し、当該時刻になるまでコンテンツ取得部２０５による処理を待機させる（ステップＳＴ１１０９）。なお、配信予定の時刻までの間、ＤＭＳ６は、ＤＭＲ８に対して黒画面等のダミー映像を配信（図１１のステップＳＴ１１１０）してもよいし、視聴予約が完了した旨を記載した映像コンテンツを返信してもよい。
【００６７】
その後、ＤＭＣ７のコンテンツ再生要求部７０２は、上記配信予定のライブコンテンツの配信時刻になると、当該ライブコンテンツの再生を該当するＤＭＲ８に再度要求する（ステップＳＴ１１１１）。
【００６８】
次いで、ＤＭＲ８のコンテンツ取得部８０１は、上記ライブコンテンツを、該当するＤＭＳ６に要求する（ステップＳＴ１１１２）。
【００６９】
次いで、ＤＭＳ６のコンテンツ取得部６０５は、ＤＭＲ８により要求されたライブコンテンツを映像配信サーバ５に要求して、当該ライブコンテンツを取得する（ステップＳＴ１１１３，１１１４）。
次いで、ＤＭＳ６のコンテンツ配信部６０６は、コンテンツ取得部６０５により取得されたライブコンテンツを要求元のＤＭＲ８に配信する（ステップＳＴ１１１５）。これにより、ＤＭＲ８のコンテンツ取得部８０１は、ライブコンテンツを取得することができる。
【００７０】
その後、ＤＭＲ８のコンテンツ復号部８０２は、コンテンツ取得部８０１により取得されたコンテンツを復号し、コンテンツ再生出力部８０３は、コンテンツ復号部８０２により復号されたコンテンツを再生する（ステップＳＴ１１１６，１１１７）。
【００７１】
以上のように、この実施の形態２によれば、ＤＭＳ６は、映像配信サーバ５から配信予定のコンテンツの配信時刻を含む情報を取得してコンテンツリストを生成して該当するＤＭＣ７に配信し、ＤＭＣ７は、ユーザにより配信予定のコンテンツが選択された場合に、コンテンツリストを参照して当該コンテンツの配信時刻になった際に当該コンテンツの再生をＤＭＲ８に再度要求するように構成したので、選択された配信予定のコンテンツを配信時刻に自動で配信することができる。
【００７２】
なお上記では、ＤＭＣ７によりライブコンテンツの配信時刻の管理及び制御を行う場合について示したが、ＤＭＳ６がＤＭＣ機能（実施の形態１のコンテンツ再生要求部２０７に相当する機能）を有している場合には、当該ＤＭＳ６でライブコンテンツの配信時刻の管理及び制御を行うようにしてもよい。この場合、通信制御部６００のコンテンツ取得制御部は、ＤＭＲ８により配信予定のライブコンテンツが要求された場合に、リスト保存部６０３に保存されたコンテンツリストを参照して当該コンテンツの配信時刻になった際に、コンテンツ取得部６０５に当該コンテンツの取得を指示する。またこの場合、ＤＭＣ７は既存の機器を用いることができる。
【００７３】
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００７４】
１  ホームネットワーク、２，６  ＤＭＳ（配信装置）、３  ＤＭＰ（再生装置）、４  外部ネットワーク、５  映像配信サーバ（外部サーバ）、７  ＤＭＣ（操作装置）、８  ＤＭＲ（再生装置）、２００，３００，６００，７００，８００  通信制御部、２０１，６０１  コンテンツ保存部、２０２，６０２  リスト生成部、２０３，６０３  リスト保存部、２０４，６０４  リスト配信部、２０５，６０５  コンテンツ取得部、２０６，６０６  コンテンツ配信部、２０７，７０２  コンテンツ再生要求部、３０１，７０１  リスト取得部、３０２，８０１  コンテンツ取得部、３０３，８０２  コンテンツ復号部、３０４，８０３  コンテンツ再生出力部。
【図１】
2016220103.tif 000003
【図２】
2016220103.tif 000004
【図３】
2016220103.tif 000005
【図４】
2016220103.tif 000006
【図５】
2016220103.tif 000007
【図６】
2016220103.tif 000008
【図７】
2016220103.tif 000009
【図８】
2016220103.tif 000010
【図９】
2016220103.tif 000011
【図１０】
2016220103.tif 000012
【図１１】
2016220103.tif 000013